(57)【要約】  定電流回路での定電流の立ち上がりが早く、省電力化も図れるゲート駆動回路を得ることを目的とする。  定電流を供給する定電流駆動回路(２８)と、前記定電流駆動回路の出力端子に接続された電力用半導体素子(１)のゲート端子と、前記ゲート端子の電圧を所定の設定電圧値と比較し、前記設定電圧値より高いことを示す信号を出力する比較器(２２)と、前記電力用半導体素子をオンさせる信号を受けて前記定電流駆動回路の電流を増加させ、前記比較器からの信号を受けて前記定電流駆動回路の電流を減少させる駆動制御部(２０)と、を備えたゲート駆動回路にある。
2009044602.tif 000002
【特許請求の範囲】
【請求項１】
定電流を供給する定電流駆動回路と、
前記定電流駆動回路の出力端子に接続された電力用半導体素子のゲート端子と、
前記ゲート端子の電圧を所定の設定電圧値と比較し、前記設定電圧値より高いことを示す信号を出力する比較器と、
前記電力用半導体素子をオンさせる信号を受けて前記定電流駆動回路の電流を増加させ、前記比較器からの信号を受けて前記定電流駆動回路の電流を減少させる駆動制御部と、
を備えたことを特徴とするゲート駆動回路。
【請求項２】
定電流を供給する定電流駆動回路と、
前記定電流駆動回路の出力端子に接続された電力用半導体素子のゲート端子と、
前記定電流駆動回路の出力端子に前記ゲート端子と並列に、又は前記ゲート端子に接続された予備通電回路と、
前記定電流駆動回路内又は、前記出力端子と前記ゲート端子との間に接続された第１のスイッチと、
前記予備通電回路を開閉する第２のスイッチと、
前記第１のスイッチおよび前記第２のスイッチを開閉制御することにより、前記定電流駆動回路の出力電流を前記予備通電回路に通電せしめ、前記予備通電回路に通電させた電流が所定の電流値に定まった後に前記ゲート端子に転流させる駆動制御部と、
を備えたことを特徴とするゲート駆動回路。
【請求項３】
前記ゲート端子の電圧を第１の設定電圧値と比較し、前記第１の設定電圧値より高いことを示す信号を出力する比較器を更に備え、
前記駆動制御部は、前記電力用半導体素子をオンさせる信号を受けて前記定電流駆動回路の電流を増加させ、前記比較器からの信号を受けて前記定電流駆動回路の電流を減少させることを特徴とする請求項２に記載のゲート駆動回路。
【請求項４】
前記ゲート端子の電圧を第１の設定電圧値と比較し、前記第１の設定電圧値より高いときに第１の信号を、前記ゲート端子の電圧を前記第１の設定電圧値より低い第２の設定電圧値と比較し、前記第２の設定電圧値より低いときに第２の信号を出力する比較部を更に備え、
前記駆動制御部は、前記第１の信号を受けて前記定電流駆動回路の電流を減少させ、前記第２の信号を受けて前記定電流駆動回路の電流を増加させることを特徴とする請求項２に記載のゲート駆動回路。
【請求項５】
前記定電流駆動回路の電流を増減させるために回路に、前記定電流駆動回路に抵抗値を変えるスイッチを設け、前記駆動制御部が前記スイッチの切り替えにより前記定電流駆動回路の電流を増減させることを特徴とする請求項１又は３に記載のゲート駆動回路。
【請求項６】
前記スイッチが前記定電流駆動回路の直列抵抗に並列接続された開閉スイッチからなることを特徴とする請求項５に記載のゲート駆動回路。
【請求項７】
前記定電流駆動回路は、カレントミラー回路とそれを駆動する定電流回路からなることを特徴とする請求項１又は２に記載の電力用半導体素子のゲート駆動回路。
【発明の詳細な説明】
【技術分野】
【０００１】
この発明は、電力用半導体素子を駆動させる際のゲート駆動回路に関するものである。
【背景技術】
【０００２】
従来の負荷駆動装置内の電力用半導体素子のゲート駆動回路においては、絶縁ゲート型トランジスタを駆動するために、定電流回路とカレントミラー回路を使って、一定電流をゲート端子に流している。また、定電流回路の電流値切り替えのために、定電流回路と直列にスイッチを用いていた(例えば、特許文献１参照)。【０００３】
【特許文献１】特開２００３−３１８７１３号公報(第１図)
【発明の開示】
【発明が解決しようとする課題】
【０００４】
従来のゲート駆動回路は、絶縁ゲート型トランジスタをオンさせる際、定電流回路の立ち上がり速度に制限があるため、ゲート端子の電流はすぐに一定値にはならなかった。また、定電流回路の電流値切り替えに、定電流回路と直列にスイッチを用いており定電流回路は動作していない状態から所定の電流値まで電流を増加させなければならないため、定電流の立ち上がりが遅くなることがあった。そのため、ゲート端子のしきい値電圧(ＶＧＥｔｈ)がばらつくと、ターンオン損失がばらつくため、多大な余裕を持った熱設計をしなければならず、効率的な熱設計を行うことができないという問題点があった。【０００５】
この発明は、上述のような問題を解決するためになされたもので、定電流回路での定電流の立ち上がりが早く、省電力化も図れるゲート駆動回路を得ることを目的とする。また、電力用半導体素子をオンさせる際、しきい値電圧がばらついても、ターンオン損失のばらつきを抑え、効率的な熱設計ができるゲート駆動回路を得ることを目的とする。
【課題を解決するための手段】
【０００６】
この発明に係るゲート駆動回路は、定電流を供給する定電流駆動回路と、前記定電流駆動回路の出力端子に接続された電力用半導体素子のゲート端子と、前記ゲート端子の電圧を所定の設定電圧値と比較し、前記設定電圧値より高いことを示す信号を出力する比較器と、前記電力用半導体素子をオンさせる信号を受けて前記定電流駆動回路の電流を増加させ、前記比較器からの信号を受けて前記定電流駆動回路の電流を減少させる駆動制御部と、を備えたゲート駆動回路にある。【０００７】
また、定電流を供給する定電流駆動回路と、前記定電流駆動回路の出力端子に接続された電力用半導体素子のゲート端子と、前記定電流駆動回路の出力端子に前記ゲート端子と並列に、又は前記ゲート端子に接続された予備通電回路と、前記定電流駆動回路内又は、前記出力端子と前記ゲート端子との間に接続された第１のスイッチと、前記予備通電回路を開閉する第２のスイッチと、前記第１のスイッチおよび前記第２のスイッチを開閉制御することにより、前記定電流駆動回路の出力電流を前記予備通電回路に通電せしめ、前記予備通電回路に通電させた電流が所定の電流値に定まった後に前記ゲート端子に転流させる駆動制御部と、を備えたゲート駆動回路にある。
【発明の効果】
【０００８】
この発明に係るゲート駆動回路は、定電流駆動回路の定電流を増減させるため、立ち上がりが早く、そのため、しきい値電圧がばらついてもターンオン損失のばらつきを抑えられるので、多大な余裕を持った熱設計をする必要が無く、効率的な熱設計を行うことができ、ひいては原材料の減量化も図れる。また、必要な時のみ電流を増加させるため省電力化も図れる。【０００９】
また、電力用半導体素子をオンさせる際、予備通電回路に電流を流し、定電流値に達した後でゲート端子に転流させるので、ターンオンの期間中、定電流で駆動させることができる。そのため、しきい値電圧がばらついてもターンオン損失のばらつきを抑えられるので、多大な余裕を持った熱設計をする必要が無く、効率的な熱設計を行うことができ、ひいては原材料の減量化も図れる。
【図面の簡単な説明】
【００１０】
【図１】この発明の実施の形態１によるゲート駆動回路の回路図である。
【図２】この発明を適用した電力変換器の一例を示す回路図である。
【図３】この発明の実施の形態１の動作を説明するタイミングチャート図である。
【図４】この発明の実施の形態１の動作を説明するタイミングチャート図である。
【図５】この発明の実施の形態１の動作を説明するタイミングチャート図である。
【図６】この発明の実施の形態２によるゲート駆動回路の回路図である。
【図７】この発明の実施の形態２の動作を説明するタイミングチャート図である。
【図８】この発明の実施の形態３によるゲート駆動回路の回路図である。
【図９】この発明の実施の形態３の動作を説明するタイミングチャート図である。
【図１０】この発明の実施の形態３の動作を説明するタイミングチャート図である。
【図１１】この発明の実施の形態３によるゲート駆動回路の変形例の回路図である。
【図１２】この発明の実施の形態３によるゲート駆動回路の別の変形例の回路図である。
【図１３】この発明の実施の形態３によるゲート駆動回路の別の変形例の回路図である。
【図１４】この発明の実施の形態４によるゲート駆動回路の回路図である。
【図１５】この発明の実施の形態４の動作を説明するタイミングチャート図である。
【図１６】この発明の実施の形態４によるゲート駆動回路の変形例の回路図である。
【発明を実施するための最良の形態】
【００１１】
実施の形態１．
図１はこの発明の実施の形態１によるゲート駆動回路の回路図である。電力用半導体素子１としてＩＧＢＴ１(Insulated Gate Bipolar Transistor)を用いている。しかしながら、ＩＧＢＴに限るわけではなく、これらをＦＥＴ(電界効果トランジスタ)等の他のスイッチや、シリコンのみならず、シリコンカーバイド(ＳｉＣ)・ガリウムナイトライド(ＧａＮ)等の他の材料によるスイッチで構成しても同様の効果が得られることは言うまでもない。ここで述べるＩＧＢＴ１とダイオード２とゲート駆動回路２９の組み合わせは、例えば図２に示す３相インバータ回路など、各種電力変換器に用いることが可能である。【００１２】
図２において、１ａ〜１ｆは電力用半導体素子(ＩＧＢＴ)、２ａ〜２ｆはダイオード、３０ａ〜３０ｆはゲート駆動回路を示す。交流電源から整流器及び平滑コンデンサを介して得られる電流を、ゲート駆動回路３０ａ〜３０ｆにより電力用半導体素子１ａ〜１ｆのスイッチング制御を行うことで、負荷の一例としてのモータＭの駆動制御が行われる。【００１３】
ＩＧＢＴ１のゲート駆動回路２９は、正電源２７に接続された定電流駆動回路２８と、定電流駆動回路２８の出力端子から互いに並列に接続された予備通電回路１９と切替回路７と、そして各回路内のスイッチのＯＮ／ＯＦＦを制御する、マイコン、又は論理回路やタイマにより構成される駆動制御部(駆動制御手段)２０とからなる。【００１４】
切替回路７はＩＧＢＴ１のゲート端子に接続されゲートの充・放電を切替る。切替回路７は、ＩＧＢＴ１をオンさせるときにオンさせゲートへの電流を制御する第１のスイッチとしてのＰチャンネル型ＭＯＳＦＥＴ３、ＩＧＢＴ１をオフさせるときにオンさせるＮチャンネル型ＭＯＳＦＥＴ６、Ｐチャンネル型ＭＯＳＦＥＴ３とＩＧＢＴ１のゲート間に接続されたターンオン時のゲート抵抗４、Ｎチャンネル型ＭＯＳＦＥＴ６とＩＧＢＴ１のゲート間に接続されたターンオフ時のゲート抵抗５からなる。【００１５】
Ｐチャンネル型ＭＯＳＦＥＴ３のソースは定電流駆動回路２８の出力端子に、ドレインはゲート抵抗４の一端に、ゲートは駆動制御部２０にそれぞれ接続されている。ゲート抵抗４の他端とゲート抵抗５の一端がＩＧＢＴ１のゲート端子に接続されている。Ｎチャンネル型ＭＯＳＦＥＴ６のドレインはゲート抵抗５の他端に、ソースはグランド側に、ゲートは駆動制御部２０にそれぞれ接続されている。【００１６】
予備通電回路１９は、ゲートへの電流を制御する第２のスイッチとしてのＮチャンネル型ＭＯＳＦＥＴ１７とこれに直列に接続された抵抗１８からなる。抵抗１８の一端が定電流駆動回路２８の出力端子に接続され、他端がＮチャンネル型ＭＯＳＦＥＴ１７のドレインに接続され、Ｎチャンネル型ＭＯＳＦＥＴ１７のソースはグランド側に、ゲートは駆動制御部２０にそれぞれ接続されている。【００１７】
駆動制御部２０は、外部の制御部(図示省略)からＩＧＢＴ１の制御指令信号Ｓａを受け、予備通電回路１９への制御指令信号Ｓｂ、切替回路７への制御指令信号Ｓｃ、Ｓｄを出力する。【００１８】
定電流駆動回路２８は、カレントミラー回路１０とそれを駆動する定電流回路１６からなる。カレントミラー回路１０は、ＰＮＰトランジスタ８、９から構成されている。ＰＮＰトランジスタ８、９はエミッタが共に正電源２７に接続され、それぞれのベースが互いに接続され、さらにＰＮＰトランジスタ９のベースとコレクタが接続されている。ＰＮＰトランジスタ８のコレクタは定電流駆動回路２８の出力端子となり、ＰＮＰトランジスタ９のコレクタとベースは定電流回路１６に接続されている。ＰＮＰトランジスタ８はこの図では一つしか示していないが、大きなゲート電流を流す場合は多数並列に接続する。【００１９】
ＰＮＰトランジスタ９のコレクタに接続された定電流回路１６は、オペアンプ１１、Ｎチャンネル型ＭＯＳＦＥＴ１２、設定抵抗１３、ゲート抵抗１４、基準電源１５から構成されている。Ｎチャンネル型ＭＯＳＦＥＴ１２のドレインはカレントミラー回路１０のＰＮＰトランジスタ９のコレクタに接続され、ソースはオペアンプ１１の一方の入力及び設定抵抗１３を介してグランド側に接続され、ゲートはゲート抵抗１４を介してオペアンプ１１の出力に接続されている。オペアンプ１１の他方の入力は基準電源１５に接続されている。【００２０】
なお、定電流駆動回路２８はここで示した回路に限らず、他の定電流回路を用いても良い。【００２１】
次に、回路の動作について、図３〜図５に示すタイミングチャート図を用いて説明する。図３の(Ａ)はゲート駆動回路２９の切替回路７とＩＧＢＴ１とダイオード２の部分の回路図を示す。図３の(Ｂ)は、図３の(Ａ)の回路のＩＧＢＴ１を定電圧駆動にした場合の動作を説明するためのタイミングチャート図である。図３の(Ｂ)の(ａ)(ｂ)はＩＧＢＴ１のゲート電圧とゲート電流、(ｃ)(ｄ)はＩＧＢＴ１のコレクタ電流とコレクタ電圧を示す。【００２２】
まず、図３の(Ａ)の回路のＩＧＢＴ１を定電圧駆動にした場合、ゲート電圧が一定になり(図３の(Ｂ)の(ａ))、スイッチングが遅くなるミラー効果が発生している期間をミラー期間とすると、このミラー期間には、(Ｖｃｃ−ＶＧＥｔｈ)÷Ｒｇで決まるゲート電流が流れる(図３の(Ｂ)の(ｂ))。但し、Ｖｃｃは定電圧、ＶＧＥｔｈはＩＧＢＴ１のゲートのしきい値電圧、Ｒｇはゲート抵抗４の抵抗値を示す。ゲート電流がゲート−コレクタ間容量を充電し終えるまでミラー期間は続く。コレクタ電圧が変化するのはミラー期間であるため(図３の(Ｂ)の(ｄ))、ミラー期間を一定にできれば、コレクタ電圧が変化している間のターンオン損失(コレクタ電圧×コレクタ電流)のばらつきを無くすることができる。ミラー期間を一定にするには、ゲート−コレクタ間容量が一定でかつ、ゲート電流を一定にすればよい。しかし、一般的にゲート−コレクタ間容量に比べてＶＧＥｔｈのばらつきが大きいため、定電圧駆動ではゲート電流を一定にすることができない。よって、ターンオン損失のばらつきを小さくするためには、ゲート電流を一定にする定電流駆動が必要となる。【００２３】
図４は定電流電源を用い、予備通電回路１９がない場合の図１の回路の動作を説明するためのタイミングチャート図である。図４の(ａ)は制御指令信号Ｓａ、(ｂ)は制御指令信号Ｓｃ，Ｓｄ、(ｃ)(ｄ)はＩＧＢＴ１のゲート電流とゲート電圧、(ｅ)は定電流回路１６の電流を示す。外部の制御部からの制御指令信号Ｓａは「Ｈ」の時にＩＧＢＴ１をオンさせ、「Ｌ」の時にオフさせる信号である。ＩＧＢＴ１は例えば図２のＩＧＢＴ１ａ、１ｂ等で示されるように、別のＩＧＢＴと直列接続されて一対のＩＧＢＴを構成しており、制御指令信号Ｓａが「Ｌ」の時には、一対のＩＧＢＴの他方がオンされている(以下同様)。【００２４】
駆動制御部２０はＩＧＢＴ１をオンさせる外部の制御部からの「Ｈ(Ｈｉｇｈ)」の制御指令信号Ｓａと同じタイミングで、「Ｌ(Ｌｏｗ)」の制御指令信号Ｓｃ，Ｓｄを切替回路７のＰチャンネル型ＭＯＳＦＥＴ３、Ｎチャンネル型ＭＯＳＦＥＴ６へ(図４の(ｂ))それぞれ出力する。定電流回路１６の電流は常に流れており(図４の(ｅ))、制御指令信号Ｓｃ，Ｓｄが「Ｌ」になるとＰチャンネル型ＭＯＳＦＥＴ３がオン、Ｎチャンネル型ＭＯＳＦＥＴ６がオフになり、ＩＧＢＴ１のゲート電流が流れ出す(図４の(ｃ))。このときゲート電流は、直ぐに予め設定した定電流値にはならない。【００２５】
カレントミラー回路１０のＰＮＰトランジスタ８のエミッタ−コレクタ間の電圧は急峻に変化するため、エミッタ−コレクタ間の寄生容量を通して変位電流がＩＧＢＴ１のゲートに流れる。変位電流が大きい場合、カレントミラー回路１０の出力電流が予め設定した定電流値になる前にＩＧＢＴ１のミラー期間が始まる。ＩＧＢＴ１のミラー期間は定電流値によって決まらず、ＩＧＢＴ１のゲートのしきい値電圧ＶＧＥｔｈで決まる。例えば、ＶＧＥｔｈが大きい時は、定電流になるまでの電流が小さくなるので、一定のゲート電荷を充電するまで続くミラー期間は長くなり、ターンオン損失が大きくなる。このように、ゲートのしきい値電圧ＶＧＥｔｈがばらつくとミラー期間とターンオン損失がばらついてしまう。【００２６】
定電流電源を用い、予備通電回路１９がある場合の図１の回路の動作を説明するためのタイミングチャート図を図５に示す。図５の(ａ)は制御指令信号Ｓａ、(ｂ)は制御指令信号Ｓｂ、(ｃ)は制御指令信号Ｓｃ、Ｓｄ、(ｄ)は予備通電回路１９の電流、(ｅ)はＭＯＳＦＥＴ１７のドレイン−ソース間電圧、(ｆ)(ｇ)はＩＧＢＴ１のゲート電流とゲート電圧、(ｈ)は定電流回路１６の電流を示す。駆動制御部２０は外部の制御部からの制御指令信号Ｓａが「Ｈ」になると(図５の(ａ))、制御指令信号Ｓｂを予め決められた期間ｔ１だけ「Ｈ」にする(図５の(ｂ))。これにより、第２のスイッチであるＭＯＳＦＥＴ１７がオンとなり、予備通電回路１９に電流が流れる。このとき、予備通電回路１９がない場合と同様に、定電流回路１６から変位の大きな電流が発生し、予備通電回路１９に流れる(図５の(ｄ))。【００２７】
予備通電回路１９に流れる電流が定電流(定電流設定値)になる時間ｔ２(図５の(ｄ))を予め調べ、その時間にマージンを含めた時間ｔ３(図５の(ｃ))を設定する。駆動制御部２０はタイミング制御で時間ｔ３経過後、制御指令信号Ｓｃ，Ｓｄを「Ｌ」にし、第１のスイッチであるＰチャンネル型ＭＯＳＦＥＴ３をオンにし、同時にＮチャンネル型ＭＯＳＦＥＴ６をオフにする(図５の(ｃ))。なお、電流センサ(図１のＤ１)により予備通電回路１９の電流値を検出し、駆動制御部２０がこの検出値から予備通電回路１９の電流値が予め設定した定電流値になったことを判定した後、制御指令信号Ｓｃ，Ｓｄを「Ｌ」にし、第１のスイッチ３をオンにしてもよい。その後に、駆動制御部２０は制御指令信号Ｓｂを「Ｌ」にし、第２のスイッチ１７をオフにし予備通電回路１９をオフさせる。予備通電回路１９をオフさせると、それまで予備通電回路１９に流れていた電流がＩＧＢＴ１のゲート端子に流れ、定電流でゲートを充電できる(図５の(ｆ))。【００２８】
このように構成されたゲート駆動回路２９は、ＩＧＢＴ１をオンさせる際、カレントミラー回路１０からの電流を予備通電回路１９に流し、定電流値に達した後でＩＧＢＴ１のゲート端子に転流させているので、ターンオン期間中に定電流で駆動させることができる。そのため、しきい値電圧がばらついても、ゲート−コレクタ間の容量を充電するまで続くミラー期間のばらつきを抑えることができる。ミラー期間の間のコレクタ電圧が変化する期間のばらつきを抑えることができるので、コレクタ電圧×コレクタ電流で表されるターンオン損失のばらつきも抑えることができる。ターンオン損失は熱に変わるが、そのばらつきを抑えられるので、電力変換器を設計する時に多大な余裕を持った熱設計をする必要が無く、効率的な熱設計を行うことができる。また、それにより低コストの電力変換器を製造できる。【００２９】
実施の形態２．
図６はこの発明の実施の形態２によるゲート駆動回路の回路図である。図６において、上記実施の形態と同一もしくは相当部分は同一もしくは関連する符号で示し説明を省略する。図６のゲート駆動回路２９ａでは、ＩＧＢＴ１のゲート端子への電流を制御する第２のスイッチであるＮチャンネル型ＭＯＳＦＥＴ１７ａと抵抗１８ａからなる予備通電回路１９ａがＩＧＢＴ１のゲート端子に接続されている。Ｎチャンネル型ＭＯＳＦＥＴ１７ａのドレインが抵抗１８ａを介してＩＧＢＴ１のゲート端子へ、ゲートが駆動制御部２０へ、ソースがグランド側にそれぞれ接続されている。【００３０】
図７には図６の回路の動作を説明するためのタイミングチャート図を示す。図７の(ａ)は制御指令信号Ｓａ、(ｂ)は制御指令信号Ｓｂ、(ｃ)は制御指令信号Ｓｃ、Ｓｄ、(ｄ)は予備通電回路１９ａの電流、(ｅ)はＭＯＳＦＥＴ１７ａのドレイン−ソース間電圧、(ｆ)(ｇ)はＩＧＢＴ１のゲート電流とゲート電圧、(ｈ)は定電流回路１６の電流を示す。【００３１】
以下、図６、７に従って動作を説明する。駆動制御部２０は、一対のＩＧＢＴの他方がオンされる「Ｌ」の制御指令信号Ｓａ(図７の(ａ))に同期して、Ｎチャンネル型ＭＯＳＦＥＴからなる第１のスイッチ３およびＮチャンネル型ＭＯＳＦＥＴ６に「Ｈ」の制御指令信号Ｓｃ，Ｓｄを同時に出力し(図７の(ｃ))、第１のスイッチ３をオフさせ同時にＮチャンネル型ＭＯＳＦＥＴ６をオンさせる。その後、第２のスイッチ１７ａに「Ｈ」の制御指令信号Ｓｂを出力してオンさせ、予備通電回路１９ａをオンにしておく(図７の(ｂ))。【００３２】
その後、制御指令信号Ｓａが「Ｈ」になると、駆動制御部２０は、制御指令信号Ｓｃ，Ｓｄを「Ｌ」に切り替え、これにより第１のスイッチ３はオン、Ｎチャンネル型ＭＯＳＦＥＴ６はオフし、予備通電回路１９ａが予めオンしているため、予備通電回路１９ａにはカレントミラー回路１０の変位電流を含めた大きな電流が流れる(図７の(ｄ))。予備通電回路１９ａの抵抗１８ａは、予備通電回路１９ａに流れる電流でＩＧＢＴ１がゲート電圧が上昇してオンすることが無いように小さい値にしている。予備通電回路１９ａの電流が定電流(定電流設定値)になった後に、制御指令信号Ｓｂを「Ｌ」に切り替えて第２のスイッチ１７ａをオフし、予備通電回路１９ａをオフにすることで、それまで予備通電回路１９ａに流れていた電流がＩＧＢＴ１のゲート端子に流れ、ＩＧＢＴ１のゲートは一定電流で充電される(図７の(ｆ))。【００３３】
なお、第１のスイッチ３をオンにしてから第２のスイッチ１７ａをオフするまでの時間ｔ４は、第１のスイッチ３をオンにしてから予備通電回路１９ａが定電流になるまでの時間を予めを調べておいて、その時間にマージンを含めた時間ｔ４(図７の(ｂ))を設定する。なお、電流センサＤ１により予備通電回路１９ａの電流値を検出し、駆動制御部２０が検出された電流値から予備通電回路１９ａの電流値が予め設定した定電流値になったことを判定した後、制御指令信号Ｓｂを「Ｌ」にし、予備通電回路１９ａをオフにしてもよい。【００３４】
このように構成されたゲート駆動回路２９ａは、しきい値電圧がばらついてもターンオン損失のばらつきを抑えられるので、効率的な熱設計を行うことができる。さらに、ＩＧＢＴ１のゲート−エミッタ間を低インピーダンスで短絡するため、高速動作させることができる。さらに、低インピーダンスでゲートをショートさせるため、ノイズによってゲート電圧が上がらず、ＩＧＢＴ１が誤オンすることを防ぐことも可能となる。これは、インバータの場合は、ＩＧＢＴ１がオフしているときにでも、並列に接続しているダイオード２がリカバリすることにより高いｄｖ／ｄｔがコレクタ−エミッタ間に印加され、これがゲートに回りこんでゲート電圧を上昇させ誤オンさせることがあるが、ゲートを低インピーダンスでショートさせるとこのような誤動作を防ぐことができるためである。【００３５】
実施の形態３．
図８はこの発明の実施の形態３によるゲート駆動回路の回路図である。図８において、上記実施の形態と同一もしくは相当部分は同一もしくは関連する符号で示し説明を省略する。図８のゲート駆動回路２９ｂでは、定電流回路１６ａは普段は小電流とし、必要な時だけ大電流とするものである。そのため、定電流回路１６ａの定電流値を設定する設定抵抗１３と直列に抵抗２３が接続され、抵抗２３と並列に抵抗２３の両端間を短絡するスイッチ２４を接続している。さらに、ＩＧＢＴ１のゲート端子に接続され、ゲート電圧と予め設定した電圧とを比較する比較器のコンパレータ２２、２６を備えている。【００３６】
第１基準電圧を発生する第１基準電源２１とＩＧＢＴ１のゲート端子が入力に接続されたコンパレータ２２は、ゲート電圧を第１基準電圧２１と比較し、ゲート電圧の方が第１基準電圧２１よりも高いと「Ｈ」になる信号Ｓｅを駆動制御部２０へ出力し、駆動制御部２０はこれに従ってスイッチ２４を所定の遅延を行ってオフする制御指令信号Ｓｆを出力する。また、上記第１基準電圧２１より小さい第２基準電圧を発生する第２基準電源２５とＩＧＢＴ１のゲート端子が入力に接続されたコンパレータ２６は、ゲート電圧を第２基準電圧２５と比較し、ゲート電圧の方が第２基準電圧２５よりも低いと「Ｈ」になる信号Ｓｇを駆動制御部２０へ出力し、駆動制御部２０はこれに従って予備通電回路１９ａをオンさせる制御指令信号Ｓｂを出力する。【００３７】
実施の形態２までは、カレントミラー回路１０の変位電流の影響が無くなり、定電流となるところまで予備通電回路１９、１９ａをオンさせていたが、実施の形態３では、定電流回路１６ａの電流値の変化に時間がかかるため、立ち上がり速度も考慮する必要がある。【００３８】
図９、図１０は図８の回路のそれぞれ、定電流回路の立ち上がりが速い場合と遅い場合の動作を説明するためのタイミングチャート図を示す。定電流回路の立ち上がりが速い場合の図９の(ａ)は制御指令信号Ｓａ、(ｂ)は制御指令信号Ｓｂ、(ｃ)は制御指令信号Ｓｃ、Ｓｄ、(ｄ)は予備通電回路１９ａの電流、(ｅ)(ｆ)はＩＧＢＴ１のゲート電流とゲート電圧、(ｇ)はコンパレータ２２の出力Ｓｅ、(ｈ)は制御指令信号Ｓｆ、(ｉ)は定電流回路１６ａの電流を示す。定電流回路の立ち上がりが遅い場合の図１０は特徴的な部分のみを示しており、(ａ)は制御指令信号Ｓａ、(ｂ)は制御指令信号Ｓｂ、(ｃ)はコンパレータ２２の出力Ｓｅ、(ｄ)は制御指令信号Ｓｆ、(ｅ)は定電流回路１６ａの電流を示す。【００３９】
以下、図８〜１０に従って動作を説明する。まず、定電流回路１６ａの立ち上がりが速い場合について説明する。ＩＧＢＴ１のオフ時、ＩＧＢＴ１のゲート電圧が第２基準電圧２５よりも低くなると(図９の(ｆ))、これを示すコンパレータ２６からの「Ｈ」の信号Ｓｇに従って駆動制御部２０は「Ｈ」の制御指令信号Ｓｂを出力する(図９の(ｂ))。これにより予備通電回路１９ａの第２のスイッチ１７ａがオンとなる。また駆動制御部２０は、スイッチ２４への制御指令信号Ｓｆを(図９の(ｈ))、制御指令信号Ｓａ(図９の(ａ))の立ち上がりとともに「Ｈ」とし、スイッチ２４はオンし、これにより定電流回路１６ａの電流は増加し大きな値となる(図９の(ｉ))。【００４０】
またこのとき、第１のスイッチ３も制御指令信号Ｓｃによりオンになり、Ｎチャンネル型ＭＯＳＦＥＴ６はオフされる(図９の(ｃ))。オンになった第１のスイッチ３のドレイン電流は(この場合は予備通電回路１９ａへの電流)、カレントミラー回路１０の変位電流分と、定電流回路１６ａの立ち上がりの応答遅れの分が重なって図９の(ｄ)に示す波形となる。第１のスイッチ３のドレイン電流が定電流となるところで制御指令信号Ｓｂが「Ｌ」になるように上記実施の形態２と同様な構成、方法で適当な時間ｔ４を設定し、第２のスイッチ１７ａをオフにする(図９の(ｂ))。予備通電回路１９ａがオフになるとＩＧＢＴ１のゲート端子に定電流が流れる(図９の(ｄ))。その後、ゲート電圧が第１基準電圧２１よりも高くなると(図９の(ｆ))、コンパレータ２２からの信号Ｓｅが「Ｈ」となり(図９の(ｇ))、駆動制御部２０は「Ｈ」の信号Ｓｅから所定時間遅延(ディレイ)させて制御指令信号Ｓｆを「Ｌ」にする(図９の(ｈ))。これによりスイッチ２４はオフとなり、定電流回路１６ａの電流は減少し小さな値となる(図９の(ｉ))。【００４１】
定電流回路１６ａの立ち上がりが遅い場合、上述した図９のように制御指令信号Ｓａの立ち上がり時にスイッチ２４への制御指令信号Ｓｆを「Ｈ」とするのでは、予備通電回路１９ａからゲートへの転流のタイミング(制御指令信号Ｓｂのオフ)までに定電流回路１６ａが立ち上がって電流が一定になるのが間に合わないことがある。【００４２】
そのため、図１０に示すタイミングチャート図のように、ゲート電圧が第１基準電圧２１よりも低いと「Ｈ」になるコンパレータ２２の出力Ｓｅの信号を用いて(図１０の(ｃ))、駆動制御部２０は、コンパレータ２２の出力Ｓｅが「Ｌ」になる時点で制御指令信号Ｓｆを「Ｈ」とし(図１０の(ｄ))、スイッチ２４をオンする。制御指令信号Ｓａの立上り(図１０の(ａ))よりも先にスイッチ２４をオンさせるため、制御指令信号Ｓｂが「Ｌ」になるまでに(図１０の(ｂ))、定電流回路１６ａを立ち上げて定電流状態にさせて(図１０の(ｅ))、定電流になった後、予備通電回路１９ａからＩＧＢＴ１のゲート端子へ転流させることが可能となる。【００４３】
なお、定電流回路１６ａの立ち上がり(電流が増加して電流値が安定した状態になる)が速い場合は、切替回路７内のターンオンの制御を行うＰチャンネル型ＭＯＳＥＦＴ３を省略して図１１のゲート駆動回路２９ｃのようにしてもよい。この場合は、定電流駆動回路２８内にある定電流回路１６ａの電流を制御するスイッチ２４が第１のスイッチとなり、制御指令信号Ｓｆに従って第１のスイッチのオン・オフが制御される。定電流回路１６ａの立ち上がりが遅い場合は、切替回路７内のターンオンの制御を行うＰチャンネル型ＭＯＳＥＦＴ３はあったほうが良い。【００４４】
また図８、図１１のゲート駆動回路２９ｂ、２９ｃでは、予備通電回路１９ａは、ＩＧＢＴ１のゲート端子に接続されているが、定電流駆動回路２８のカレントミラー回路１０と切替回路７、７ａとの間に接続しても良い。図１２に図８のゲート駆動回路２９ｂで実施した場合のゲート駆動回路２９ｂｂ、図１３に図１１のゲート駆動回路２９ｃで実施した場合のゲート駆動回路２９ｃｃを示す。【００４５】
このように構成されたゲート駆動回路２９ｂｂ、２９ｃｃは、しきい値電圧がばらついてもターンオン損失のばらつきを抑えられるので、効率的な熱設計を行うことができる。さらに、必要なときだけ定電流回路の電流値を切替えて起動するので、ゲート駆動回路の損失をも抑える効果がある。【００４６】
実施の形態４．
図１４はこの発明の実施の形態４によるゲート駆動回路の回路図である。図１４において、上記実施の形態と同一もしくは相当部分は同一もしくは関連する符号で示し説明を省略する。図１４のゲート駆動回路２９ｃｃｃは概略、図１１のゲート駆動回路２９ｃからコンパレータ２６と予備通電回路１９ａを取り除き、また、抵抗２３に大きい抵抗値のものを使用したものである。【００４７】
定電流回路１６ａは普段は小電流とし、必要な時だけ大電流とするものである。そのため、定電流回路１６ａの定電流値を設定する設定抵抗１３と直列に抵抗２３を接続し、抵抗２３と並列にスイッチ２４を接続している。さらに、ＩＧＢＴ１のゲート端子に接続され、ゲート電圧と第１基準電源２１の予め設定した第１基準電圧(上記実施の形態におけるものと同じ電圧値でなくてもよい)とを比較する比較器のコンパレータ２２を備えている。コンパレータ２２は第１基準電圧２１とゲート電圧を比較し、ゲート電圧のほうが第１基準電圧２１よりも高いと「Ｈ」になる信号Ｓｅを駆動制御部２０へ出力し、駆動制御部２０は「Ｈ」の信号Ｓｅを受けると所定の遅延をさせて制御指令信号Ｓｆを「Ｌ」にしスイッチ２４をオフにする。【００４８】
図１５には図１４の回路の動作を説明するためのタイミングチャート図を示す。図１５の(ａ)は制御指令信号Ｓａ、(ｂ)は制御指令信号Ｓｄ、(ｃ)(ｄ)はＩＧＢＴ１のゲート電流とゲート電圧、(ｅ)はコンパレータ２２の出力Ｓｅ、(ｆ)は制御指令信号Ｓｆ、(ｇ)は定電流回路１６ａの電流を示す。【００４９】
以下、図１４，１５に従って動作を説明する。制御指令信号Ｓａ(図１５の(ａ))の立ち上がりに同期して、駆動制御部２０は、スイッチ２４の制御指令信号Ｓｆ(図１５の(ｆ))を「Ｈ」にする。これにより図１５の(ｇ)のように定電流回路１６ａに電流が流れ、ＩＧＢＴ１のゲート電圧は図１５の(ｄ)のように充電される。そして上述のように、コンパレータ２２は第１基準電圧２１とゲート電圧を比較し、ゲート電圧の方が第１基準電圧２１よりも高いと「Ｈ」になる信号Ｓｅを駆動制御部２０へ出力し、駆動制御部２０は「Ｈ」の信号Ｓｅを受けると所定の時間遅延をさせて制御指令信号Ｓｆを「Ｌ」にしスイッチ２４をオフにする。これにより定電流回路１６ａの電流も小さくなる(図１５の(ｇ))。この際、コンパレータ２２、制御指令信号Ｓｆ、定電流回路１６ａの動作遅れによって、ゲート電圧が第１基準電圧２１よりも高い所定の電圧になった後に定電流回路１６ａの電流値は小さくなる。【００５０】
このように、ＩＧＢＴ１のゲート端子に流れるゲート電流を制御するため、定電流回路１６ａの電流値を変更する。ＩＧＢＴ１をオンさせるときは大きな電流とし、コンパレータ２２によってＩＧＢＴ１のゲート端子の充電完了を判定した後は小さな電流とする。【００５１】
抵抗２３は抵抗１３よりも大きく、例を挙げると３桁程度大きな値にする。オペアンプ１１の出力電圧が、スイッチ２４のオン前後で僅かしか変わらないため、高速な動作が可能となる。ただし、抵抗２３をあまりにも大きな値(無限大(開放に相当する))にするのは望ましくない。抵抗２３を開放すると、オペアンプ１１の−端子の電位は不確定になり、基準電源１５の基準電圧と同電位にはならない。また、オペアンプ１１の出力によって−端子電位を制御することができないため、オペアンプ１１の出力は、「Ｈ」または「Ｌ」のどちらかの値をとる。その状態から、スイッチ２４がオンして、所定の定電流値に制御するには、オペアンプ１１やＮチャンネル型ＭＯＳＦＥＴ１２の応答速度が遅いため、非常に時間がかかるためである。なお、抵抗２３の値は上述以外にも、スイッチ２４のオフ時にゲートが充放電しないように抵抗値を設定してもよい。これは、ゲートとエミッタの間には、数十ｋΩの抵抗が付くのが一般的で、これにより放電される分があり、その補償のためである。【００５２】
なお、切替回路７にＰチャネル型ＭＯＳＦＥＴ３を備えた図８のゲート駆動回路２９ｂについても、図１６にゲート駆動回路２９ｂｂｂに示すように実施可能である。【００５３】
このように構成されたゲート駆動回路２９ｂｂｂ、２９ｃｃｃは、定電流回路の動作が高速になるため、ゲート端子の充電が定電流値で行われる。よって、しきい値電圧がばらついてもターンオン損失のばらつきを抑えられるので、効率的な熱設計を行うことができる。さらに、必要なときだけ定電流回路の電流値を切替えて起動するので、ゲート駆動回路の損失をも抑える効果がある。【００５４】
なお、本発明は上記各実施の形態に限定されるものではなく、同等な機能を備えた回路で構成されたものも含む。さらに、本発明は上記各実施の形態の可能な組合せも含む。
【産業上の利用の可能性】
【００５５】
本発明のゲート駆動回路は多くの分野で利用可能である。
【図１】
2009044602.tif 000003
【図２】
2009044602.tif 000004
【図３】
2009044602.tif 000005
【図４】
2009044602.tif 000006
【図５】
2009044602.tif 000007
【図６】
2009044602.tif 000008
【図７】
2009044602.tif 000009
【図８】
2009044602.tif 000010
【図９】
2009044602.tif 000011
【図１０】
2009044602.tif 000012
【図１１】
2009044602.tif 000013
【図１２】
2009044602.tif 000014
【図１３】
2009044602.tif 000015
【図１４】
2009044602.tif 000016
【図１５】
2009044602.tif 000017
【図１６】
2009044602.tif 000018
【手続補正書】
【提出日】平成21年12月14日(2009.12.14)
【手続補正１】
【補正対象書類名】特許請求の範囲
【補正対象項目名】全文
【補正方法】変更
【補正の内容】
【特許請求の範囲】
【請求項１】
電力用半導体素子のスイッチング制御を行うゲート駆動回路であって、
定電流を供給する定電流駆動回路と、
前記定電流駆動回路の出力端子に接続された前記電力用半導体素子のゲートに接続されるゲート端子と、
前記定電流駆動回路の出力端子に前記ゲート端子と並列に、又は前記ゲート端子に接続された予備通電回路と、
前記定電流駆動回路内又は、前記出力端子と前記ゲート端子との間に接続された第１のスイッチと、
前記予備通電回路を開閉する第２のスイッチと、
前記第１のスイッチおよび前記第２のスイッチを開閉制御する駆動制御部と、
を備えたことを特徴とするゲート駆動回路。
【請求項２】
前記駆動制御部は、前記第２のスイッチをオンすることにより前記定電流駆動回路の出力電流を前記予備通電回路に通電させ、前記予備通電回路に通電させた電流が所定の電流値に定まった後に前記第１のスイッチをオンし、前記第２のスイッチをオンすることにより前記定電流駆動回路の出力電流を前記ゲート端子に転流させることを特徴とする請求項１に記載のゲート駆動回路。
【請求項３】
前記ゲート端子の電圧を第１の設定電圧値と比較し、前記第１の設定電圧値より高いことを示す信号を出力する比較器を更に備え、
前記駆動制御部は、前記電力用半導体素子をオンさせる信号を受けて前記定電流駆動回路の電流を増加させ、前記比較器からの信号を受けて前記定電流駆動回路の電流を減少させることを特徴とする請求項２に記載のゲート駆動回路。
【請求項４】
前記ゲート端子の電圧を第１の設定電圧値と比較し、前記第１の設定電圧値より高いことを示す信号を出力する比較部を更に備え、
前記駆動制御部は、前記比較器からの信号を受けて前記定電流駆動回路の電流を増加させ、前記信号の反転信号を受けて前記定電流駆動回路の電流を減少させることを特徴とする請求項２に記載のゲート駆動回路。
【請求項５】
前記定電流駆動回路の電流を増減させるために、前記定電流駆動回路に抵抗値を変えるスイッチを設け、前記駆動制御部が前記スイッチの切り替えにより前記定電流駆動回路の電流を増減させることを特徴とする請求項３又は４に記載のゲート駆動回路。
【請求項６】
前記スイッチが前記定電流駆動回路の直列抵抗に並列接続された開閉スイッチからなることを特徴とする請求項５に記載のゲート駆動回路。
【請求項７】
前記定電流駆動回路は、カレントミラー回路とそれを駆動する定電流回路からなることを特徴とする請求項１又は２に記載のゲート駆動回路。
【手続補正２】
【補正対象書類名】明細書
【補正対象項目名】０００６
【補正方法】変更
【補正の内容】
【０００６】
この発明は、電力用半導体素子のスイッチング制御を行うゲート駆動回路であって、
定電流を供給する定電流駆動回路と、前記定電流駆動回路の出力端子に接続された前記電力用半導体素子のゲートに接続されるゲート端子と、前記定電流駆動回路の出力端子に前記ゲート端子と並列に、又は前記ゲート端子に接続された予備通電回路と、前記定電流駆動回路内又は、前記出力端子と前記ゲート端子との間に接続された第１のスイッチと、前記予備通電回路を開閉する第２のスイッチと、前記第１のスイッチおよび前記第２のスイッチを開閉制御する駆動制御部と、を備えたことを特徴とするゲート駆動回路にある。
【手続補正３】
【補正対象書類名】明細書
【補正対象項目名】０００７
【補正方法】削除
【補正の内容】
【国際調査報告】
2009044602.tif 000019
2009044602.tif 000020
2009044602.tif 000021
2009044602.tif 000022
2009044602.tif 000023
2009044602.tif 000024
2009044602.tif 000025